(57)【要約】【課題】効率的且つ効果的に屋外の歩行者などに対する冷房効果を得ることを可能にする屋外冷房システムを提供する。【解決手段】屋外の通路１の両側部にそれぞれ設けられた一対の側壁部３と、通路１の床下及び／又は側壁部３に設けられ、通路１の床面１ａ上の空気を冷却する冷却機構２とを備える。【選択図】図１
2017053521.tif 000002
【特許請求の範囲】
【請求項１】
屋外の通路の両側部にそれぞれ設けられた一対の側壁部と、
前記通路の床下及び／又は前記側壁部に設けられ、前記通路の床面上の空気を冷却する冷却機構とを備えていることを特徴とする屋外冷房システム。
【請求項２】
請求項１記載の屋外冷房システムにおいて、
前記冷却機構が前記通路の床下に設けられ、該冷却機構の下方に断熱材を敷設して構成されていることを特徴とする屋外冷房システム。
【請求項３】
請求項１または請求項２に記載の屋外冷房システムにおいて、
前記通路の出入り口に、前記通路と外部の間の出入り可能に通路側の冷気の外部への拡散を抑止する冷気遮断扉を備えていることを特徴とする屋外冷房システム。
【請求項４】
請求項１から請求項３のいずれか一項に記載の屋外冷房システムにおいて、
前記通路を上方から覆うように設けられた天井部を備えていることを特徴とする屋外冷房システム。
【請求項５】
請求項４記載の屋外冷房システムにおいて、
前記天井部が曲面状に且つ焦点が前記通路上に配される曲率をもって形成されていることを特徴とする屋外冷房システム。
【請求項６】
請求項４または請求項５に記載の屋外冷房システムにおいて、
前記天井部の内側が０．５以上の放射率を有する高放射率部材を用いて形成されていることを特徴とする屋外冷房システム。
【発明の詳細な説明】
【技術分野】
【０００１】
本発明は、屋外の通路などに冷気を放射して歩行者などを冷房するための屋外冷房システムに関する。
【背景技術】
【０００２】
従来、例えば、噴霧ノズル、その噴霧ノズルに加圧水を供給するポンプ、ポンプから噴霧ノズルに加圧水が配水される配水管を備えた降温用噴霧システムを集客施設の入口付近などに設け、噴霧ノズルからミストを噴出し、このミストの蒸散に伴う潜熱によって夏季の猛暑などを緩和することが行われている（例えば、特許文献１、特許文献２、特許文献３参照）。
【先行技術文献】
【特許文献】
【０００３】
【特許文献１】特開２００８−１７５５２０号公報
【特許文献２】特開２０１１−２２０６４４号公報
【特許文献３】特開２００６−１７７５７５号公報
【発明の概要】
【発明が解決しようとする課題】
【０００４】
しかしながら、上記従来の降温用噴霧システムにおいては、屋外風の影響を受けやすく、噴霧したミストが屋外風によって飛ばされるなどして歩行者に対する冷房効果が十分に得られなくなる欠点があった。
【０００５】
また、屋外に天井を設け、この天井から下方に向けて冷気を放射することも考えられるが、この放射空調においても、対流成分が６割から８割を占めるため、屋外風で飛ばされて冷房に利用できず、やはり歩行者に対する冷房効果が十分に得られなくなる欠点があった。
【０００６】
本発明は、上記事情に鑑み、効率的且つ効果的に屋外の歩行者などに対する冷房効果を得ることを可能にする屋外冷房システムを提供することを目的とする。
【課題を解決するための手段】
【０００７】
上記の目的を達するために、この発明は以下の手段を提供している。
【０００８】
本発明の屋外冷房システムは、屋外の通路の両側部にそれぞれ設けられた一対の側壁部と、前記通路の床下及び／又は前記側壁部に設けられ、前記通路の床面上の空気を冷却する冷却機構とを備えていることを特徴とする。
【０００９】
また、本発明の屋外冷房システムにおいては、前記冷却機構が前記通路の床下に設けられ、該冷却機構の下方に断熱材を敷設して構成されていることが望ましい。
【００１０】
さらに、本発明の屋外冷房システムにおいては、前記通路の出入り口に、前記通路と外部の間の出入り可能に通路側の冷気の外部への拡散を抑止する冷気遮断扉を備えていることがより望ましい。
【００１１】
また、本発明の屋外冷房システムにおいては、前記通路を上方から覆うように設けられた天井部を備えていることがさらに望ましい。
【００１２】
さらに、本発明の屋外冷房システムにおいては、前記天井部が曲面状に且つ焦点が前記通路上に配される曲率をもって形成されていることがより望ましい。
【００１３】
また、本発明の屋外冷房システムにおいては、前記天井部の内側が０．５以上の放射率を有する高放射率部材を用いて形成されていることがさらに望ましい。
【発明の効果】
【００１４】
本発明の屋外冷房システムにおいては、通路の床下や側壁部に冷却機構を設けることによって、冷却機構で通路上の空気を冷却し、一対の側壁部の間に冷気をためることができる。
【００１５】
そして、冷気だまりが一対の側壁部の間に形成されるため、風によって拡散しにくく、通路を通行する歩行者などに確実且つ効果的に冷房効果を与えることができる。
【図面の簡単な説明】
【００１６】
【図１】本発明の一実施形態に係る屋外冷房システムを示す図である。
【図２】本発明の一実施形態に係る屋外冷房システムを示す図である。
【図３】本発明の一実施形態に係る屋外冷房システムの変更例を示す図である。
【発明を実施するための形態】
【００１７】
以下、図１及び図２を参照し、本発明の一実施形態に係る屋外冷房システムについて説明する。
ここで、本実施形態は、屋外の通路などに冷気を放射して歩行者などを冷房するための屋外冷房システムに関するものである。
【００１８】
具体的に、本実施形態の屋外冷房システムＡは、図１及び図２に示すように、通路（冷却対象域）１の床下に設けられ、床面１ａ上の空気を冷却する冷却機構２と、通路１の両側部にそれぞれ設けられ、対流成分の冷気Ｍを通路１の床面１ａ上にためて冷気だまりを形成するための一対の腰壁（高欄：側壁部／区画部）３とを備えて構成されている。
【００１９】
また、本実施形態の冷却機構２は、床放射冷房機構であり、例えば通路１の床面１ａ直下に、冷凍機等の冷却源に繋げて床放射用パイプ２ａを敷設し、この床放射用パイプ２ａに冷媒を流通させることにより、床面１ａから通路１の上方の空気を冷却するように（床面１ａから上方に冷気を放射するように）構成されている。
なお、図１では通路１の一部に床放射用パイプ２ａ（冷却機構２）があるように図示しているが、勿論、通路の延設方向全長（所定箇所）にわたって床放射用パイプ２ａ（冷却機構２）が敷設される。
【００２０】
ここで、冷却機構２は、床放射用パイプ２ａの下に断熱材４を敷設し、冷温がほぼ１００％床面１ａ側に伝達させ、言い換えれば、冷房効果をほぼ１００％床面１ａ側に出させ、地下（下方）への熱ロスを無くすように構成することが好ましい。
【００２１】
また、通路１の出入り口には、床面１ａから腰壁３の高さまである回転式の羽扉などの通路１側の冷気の外部への拡散を防止しつつ通路１と外部の間の出入りを可能にする冷気遮断扉（不図示）を設けるようにし、冷気だまりの拡散を防ぐように構成することが好ましい。
【００２２】
さらに、本実施形態の屋外冷房システムＡでは、一対の腰壁（側壁部／区画部）３に両下端部に繋げ、通路１を上方から覆うように天井部５を設け、この天井部５によって通路１上の冷気の放射成分が屋外に逃げないように構成する。
【００２３】
さらに、天井部５を曲面状に形成し、すなわちアーチ状に形成し、床面１ａからの冷放射を通路１の人Ｓに集中する焦点となる曲率をもって形成することが好ましい。
【００２４】
また、このような天井部５を備える場合には、天井材の内側を高放射率部材５ａを用いて形成することが望ましい。すなわち、床面１ａから放射された冷気が天井材で反射して通路１上を通行する歩行者Ｓなどに届くようにすることが好ましい。なお、この種の高放射率部材５ａは、近赤外から遠赤外まで０．５以上の放射率を持つ材料であることが好ましい。例えば遠赤外線放射アルミニウムなどの金属酸化物、セラミック等を用いることによって、所望の放射率を持つ高放射率部材５ａを形成することができる。
【００２５】
また、天井部５は、直射日光Ｐなどを遮る遮光性を備え、通路１の空間内に直射日光Ｐが差し込んで通路１上の空気の温度の上昇を抑止可能な材料を用いて形成することが好ましい。
【００２６】
さらに、天井材に断熱材（断熱性／遮熱性）５ｂを追加することで、下からの冷放射が天井裏（天井部５の外側）に逃げるのを防ぎ、また日射による発熱を防ぐことがより好ましい。また、天井部５の外表面に光反射塗料を塗るなどして日射による発熱を防ぐように構成してもよい。
【００２７】
上記構成からなる本実施形態の屋外冷房システムＡにおいては、通路１の床下に設けられた冷却機構２の床放射用パイプ２ａに冷媒を供給することにより、一対の腰壁３の間の空気を床面１ａから冷却し、一対の腰壁３の間に対流成分の冷気をためて冷気だまりを形成することができる。
【００２８】
そして、この冷気だまりが一対の腰壁３の間に形成されるため、風によって拡散しにくく、通路１を通行する歩行者Ｓなどに確実且つ効果的に冷房効果を与えることができる。
【００２９】
よって、本実施形態の屋外冷房システムＡによれば、従来の降温用噴霧システムや屋外天井冷房システムと比較し、屋外風の影響を小さく抑えることができ、効率的且つ効果的に屋外の歩行者Ｓなどに対する冷房効果を得ることが可能になる。
【００３０】
また、本実施形態の屋外冷房システムＡにおいては、冷却機構２が下方に断熱材４を敷設して構成されていることにより、冷温をほぼ１００％床面１ａ側に伝達させることができ、地下（下方）への熱ロスを無くすことができる。これにより、冷房効率を高め、より効率的な屋外冷房を実現することが可能になる。
【００３１】
さらに、通路１の出入り口に回転式の羽扉などの冷気遮断扉を設けることにより、通路１と外部の間の出入りを可能にしつつ、通路１側の冷気、冷気だまりが外部に拡散することを抑止することができる。これにより、冷房効率を高め、さらに効率的な屋外冷房を実現することが可能になる。
【００３２】
また、一対の腰壁３に両下端部に繋げ、通路１を上方から覆うように天井部５を設けることによって、通路１上の冷気の放射成分が屋外に拡散することを防止できる。これにより、さらなる冷房効率、冷房効果の向上を図ることができる。
【００３３】
さらに、天井部５を曲面状に形成し、床面１ａからの冷放射を通路１の人Ｓに集中する焦点となる曲率をもって形成することで、効果的に歩行者Ｓなどに冷房効果を与えることができる。
【００３４】
また、天井部５の天井材の内側に高放射率部材５ａを用いることにより、床面１ａから放射された冷気が天井材で反射して通路１上を通行する歩行者Ｓなどに届くようにし、より効果的且つ効率的に冷房効果を与えることができる。さらに、高放射率部材５ａが近赤外から遠赤外まで０．５以上の放射率を持つ材料であることにより、確実に天井材で冷気を通路１上の歩行者Ｓなどに向けて反射させ、冷房効果を与えることが可能になる。
【００３５】
また、直射日光Ｐなどを遮る遮光性を備え、通路１の空間内に直射日光Ｐが直接的に照射されて通路１上の空気の温度の上昇を抑止可能な材料を用いて天井部５を形成すれば、さらなる冷房効果の向上を図ることができる。
【００３６】
さらに、天井材に断熱材（断熱性／遮熱性）５ｂを追加することで、下からの冷放射が天井裏（天井部５の外側）に逃げるのを防ぎ、また日射による発熱を防ぐことができる。また、天井部５の外表面に光反射塗料を塗るなどすれば、やはり効果的に日射による発熱を防ぐことができる。
【００３７】
以上、本発明に係る屋外冷房システムの一実施形態について説明したが、本発明は上記の一実施形態に限定されるものではなく、その趣旨を逸脱しない範囲で適宜変更可能である。
【００３８】
例えば、図３に示すように、本発明に係る側壁部として、本実施形態の腰壁３の替わりに植栽６を用いるようにしてもよい。この場合には、植栽壁６により、屋外風の影響を低減し、冷気だまりを高くすることができる。また、植栽６からの蒸散効果で温度低下の効果を得ることができる。さらに、視覚的にも緑は涼しく感じる。
【００３９】
また、本実施形態では、冷却機構２が床放射用パイプ２ａに冷媒を流通させ、床面１ａから通路１の上方の空気を冷却するように構成されているものとした。
これに対し、本発明に係る冷却機構は、通路１の床面１ａ上の空気を冷却することが可能であればよく、例えば、噴霧ノズルによって床面や側壁部から通路の床面上の空間にミストを噴出させたり、超音波を利用して床面や側壁部から通路の床面上の空間にミストを発生させるなどして、通路の床面上の空気を冷却するように構成してもよい。この場合においても、本実施形態と同様の作用効果を得ることが可能である。
【符号の説明】
【００４０】
１    通路（冷却対象域）
１ａ  床面
２    冷却機構
２ａ  床放射用パイプ
３    腰壁（側壁部／区画部）
４    断熱材
５    天井部
５ａ  高放射率部材
５ｂ  断熱材（断熱性／遮熱性）
６    植栽壁（側壁部／区画部）
Ａ    屋外冷房システム
Ｍ    冷気
Ｐ    直射日光
Ｓ    人（歩行者など）
【図１】
2017053521.tif 000003
【図２】
2017053521.tif 000004
【図３】
2017053521.tif 000005